(57)【要約】      （修正有）【課題】楽器と玩具そして飾り等の多数の機能を重ねる、子供にとって、平日や休祭日の最も良い娯楽用品であるハンドベルの構造を提供する。【解決手段】主として、ベル体１、頂上飾り２、ボルト３、抵当玉４、把持レバー５、置き台６、ノック棒７、及び吊り下げ紐からなり、当該ベル体の対応する両側に、それぞれ、一つの動揺紐１２が貫設され、当該動揺紐とベル体とは、抵当玉によって連結され、動揺紐の末端に、更にノック玉７０があり、当該ベル体の頂上部は、一体成形である頂上飾りで、ボルトが頂上飾り上の魚眼凹み２０に貫設されることにより、把持レバーのスクリュー穴に固定され、また、当該抵当玉は、魚眼凹みにかんせつされる。【選択図】図１
0003113487.tif 000002
【実用新案登録請求の範囲】
【請求項１】
ベル体、頂上飾り、ボルト、抵当玉、把持レバー、置き台、ノック棒、及び吊り下げ紐からなり、当該ベル体の対応する両側に、それぞれ、一つの動揺紐が貫設され、当該動揺紐と当該ベル体とは、抵当玉によって連結され、動揺紐の末端に、更にノック玉があり、当該ベル体の頂上部は、一体成形である頂上飾りで、ボルトが頂上飾り上の魚眼凹みに貫設されることにより、把持レバーのスクリュー穴に固定され、また、当該抵当玉は、魚眼凹みに貫設されることにより、位置付けられる、ことを特徴とするハンドベルの構造。
【請求項２】
把持レバーとノック棒の下端を、置き台上の大、小の固定座に挿入することにより、美感の置き飾りになり、又は、当該吊り下げ紐により、壁ホックに吊り下げて、スペースを節約することが出来る、ことを特徴とする請求項１に記載のハンドベルの構造。
【考案の詳細な説明】
【技術分野】
【０００１】
本考案は、ハンドベルの構造に関し、特に、楽器と玩具そして飾りの多数の機能を重ねる、子供にとって、平日や休祭日の最も良い娯楽用品に関する。
【背景技術】
【０００２】
休祭日や平日において、子供が玩具としてハンドドラムやハンドベルを遊ぶことが多く、これにより、祭日の雰囲気が盛り上げるが、市販のハンドベルは、ベル体の頂部の内側に、ノック体を設け、動揺する時、当該ノック体がベル体をノックして、金属音が鳴り、しかしながら、それは、持ち難いため、不注意と、地面に落ちることにより損害されることが多く、そして、鳴り音が清げでなく、また、造型に美感がない。
【０００３】
考案者は、上記の問題を解決するため、多めの時間や精神を使って、慎重に改良研究をすることにより、容易に把持すること、収納が便利であること、造型が典雅であることそして音が綺麗であることを実現できるハンドベルの構造を創出した。
【考案の開示】
【考案が解決しようとする課題】
【０００４】
本考案の主な目的は、ハンドベルの構造を提供する。
【課題を解決するための手段】
【０００５】
主として、ベル体、頂上飾り、ボルト、抵当玉、把持レバー、置き台、ノック棒、及び吊り下げ紐からなり、当該ベル体の対応する両側に、それぞれ、一つの動揺紐が貫設され、当該動揺紐とベル体とは、抵当玉によって連結され、動揺紐の末端に、更にノック玉があり、当該ベル体の頂上部は、一体成形である頂上飾りで、ボルトが頂上飾り上の魚眼凹みに貫設されることにより、把持レバーのスクリュー穴に固定され、また、当該抵当玉は、魚眼凹みに貫設されることにより、位置付けられ、持って遊ぶ場合、手で把持レバーを回転させると、ノック玉は、遠心力の作用により、ベル体をノックして清げのある音が鳴り、また、手でノック棒を持ってノック玉をベル体にノックすることにより、かん高い音が鳴り、遊ばない場合、把持レバーとノック棒の下端を、置き台上の大、小の固定座に挿入することにより、美感のある置き飾りになり、或いは、吊り下げ紐で壁ホックに吊り下げることもできるから、楽器と玩具そして飾り等の多数の機能を重ねる、子供にとって、平日や休祭日の最も良い娯楽用品である。
【考案を実施するための最良の形態】
【０００６】
以下、図面を参照しながら、本考案に係わる構造の特徴や実用効果を、詳しく説明する。
【０００７】
図１から図３は、それぞれ、ハンドベルの全体構造であり、当該ベル体（１）の対応する両側に、それぞれ、一つの動揺紐（１２）が貫設され、当該動揺紐は、抵当玉（４）の貫通穴（４０）を貫通し、抵当玉（４）のレバー部は、ベル体（１）内に固定され、動揺紐（１２）の末端には、それぞれ、ノック玉（１１）が設けられ、ベル体（１）の頂上部は、一体成形の頂上飾り（２）であり、当該頂上飾り（２）は、ボルト（３）を頂上飾り（２）の頂部にある魚眼凹み（２０）を貫通することにより、把持レバー（５）のスクリュー穴（５０）にロックされ、また、抵当玉（４）の下方の柱端が魚眼凹み（２０）に貫設されることにより、位置付けられ、遊ばない場合、把持レバー（５）とノック棒（７）の下端（５２）（７１）を、置き台（６）上の大、小の固定座（６０）（６１）にある挿入穴（６００）（６１０）内に挿入することにより、ハンドベルとノック棒（７）が安定に固定され、美感のある典雅な置き飾り（図２のように）になる。
【０００８】
図４のように、持って遊ぶ場合、手で円周方向に把持レバー（５）を回転させると、ノック玉（１１）は、遠心力の作用により、ベル体（１）をノックして清げのある音が鳴る。また、図５のように、手でノック棒（７）を持ってノック玉（７０）でベル体（１）をノックすることにより、かん高いの音が鳴ることも出来、また、当該把持レバー（５）は、下端に吊り下げ紐（８）を貫通するための紐結び穴（５１）が設けられ、当該吊り下げ紐（８）により、壁ホックに吊り下げることが出来、又は、腕に掛けて、持って遊ぶ時、落下することを防止できるため、実用てきである。
【０００９】
本考案に係わるハンドベルの構造によれば、次の特徴や効果が得られる。
【００１０】
（１）遊ぶ時、手でベル体を触れることが必要せず、腕で把持レバーを回転すれば、ノック玉が遠心力の作用によりベル体をノックし、その発生した音波が、伝達に障壁がないため、清げのある、大きい音になり、そして、共鳴の効果が得られる。
【００１１】
（２）手でノック棒を持ってベル体（同様に、かん高い音が鳴る）をノックすることにより、異なる遊び方ができるため、より楽しむことが出来る。
【００１２】
（３）遊ばない場合、把持レバーとノック棒を、置き台上の大、小の固定座に挿入することにより、美感のある置き飾りになり、或いは、吊り下げ紐で壁ホックに吊り下げることにより、スペースを取らない。
【００１３】
（４）頂上飾りは、ハンドベルの頂上部に覆うように形成され、抵当玉により位置付けられ、当該抵当玉は、装飾にも供され、同じように、当該抵当玉は、ベル体と動揺紐と連結に適用でき、これにより、作製コストの節約が出来、また、全体として、曲線美を持つため、楽器と玩具そして飾りの多数の機能を重ねる。
【００１４】
上記の説明のように、本考案は、産業実用性を持つものであり、子供にとって、平日や休祭日の最も良い娯楽用品である。
【図面の簡単な説明】
【００１５】
【図１】本考案に係わる「ハンドベルの構造」の立体分解図
【図２】本考案に係わる「ハンドベルの構造」の立体組立て図
【図３】本考案に係わる「ハンドベルの構造」の断面概念図
【図４】本考案に係わる「ハンドベルの構造」の動作一の概念図
【図５】本考案に係わる「ハンドベルの構造」の動作二の概念図
【符号の説明】
【００１６】
(1)        ベル体
(11)        ノック玉
(12)        動揺紐
(2)        頂上飾り
(20)        魚眼凹み
(3)        ボルト
(4)        抵当玉
(40)        貫通穴
(5)        把持レバー
(50)        スクリュー穴
(51)        紐結び穴
(52)        下端
(6)        置き台
(60)        大固定座
(600)        挿入穴
(61)        小固定座
(610)        插座
(7)        ノック棒
(70)        ノック玉
(71)        下端
(8)        吊り下げ紐
【図１】
0003113487.tif 000003
【図２】
0003113487.tif 000004
【図３】
0003113487.tif 000005
【図４】
0003113487.tif 000006
【図５】
0003113487.tif 000007